(57)【要約】【課題】構造および掛け止め操作が簡単で、確実に滑り戻しを阻止できるバックルを提供する。【解決手段】本発明のバックルは、板状のバックル本体と、該バックル本体の一側に形成されて、ベルトの基端部を止着するベルト基端取付部と、上記バックル本体の中央部に形成されて、ベルト先端部を挿入するベルト先端部差込穴と、該ベルト先端部差込穴に連通し、これより幅狭に形成されているベルト絞り穴と、該ベルト絞り穴内に入口方向に向けて突設された刺留め部材と、該刺留め部材の基部に形成されて、央軌ベルト絞り穴で絞り込まれて折返されたベルトを支持するベルト折返し支持部と、該ベルト折返し支持部により折り返されたベルトの先端部を押さえ込むベルト押さえ片と、から構成される。【選択図】  図１
2013005833.tif 000002
【特許請求の範囲】
【請求項１】
板状のバックル本体と、該バックル本体の一側に形成されて、ベルトの基端部を止着するベルト基端取付部と、上記バックル本体の中央部に形成されて、ベルト先端部を挿入するベルト先端部差込穴と、該ベルト先端部差込穴に連通し、これより幅狭に形成されているベルト絞り穴と、該ベルト絞り穴内に入口方向に向けて突設された刺留め部材と、該刺留め部材の基部に形成されて、央軌ベルト絞り穴で絞り込まれて折返されたベルトを支持するベルト折返し支持部と、該ベルト折返し支持部により折り返されたベルトの先端部を押さえ込むベルト押さえ片と、から構成されることを特徴とするバックル。
【請求項２】
上記ベルト先端部差込穴に形成されて、上記ベルト絞り穴にベルトを絞り込む絞込み用傾斜を設けたことを特徴とする請求項１に記載のバックル。
【請求項３】
上記ベルト先端部差込穴と上記ベルト絞り穴の狭くなった連通部に戻り防止用突起を突設したことを特徴とする請求項２に記載のバックル。
【請求項４】
上記ベルト基端取付部の付近のバックル本体にベルト先端部保持片をも行けたことを特徴とする請求項１、２または３に記載のバックル。
【発明の詳細な説明】
【技術分野】
【０００１】
本発明は、ベルトを留めるためのバックルに関するものである。
【背景技術】
【０００２】
従来のバックルとしては、ベルトの一端部を固定する部材と、ベルトの他端部を折返すように掛けて、滑り戻りしないように鋭角状の係止手段を設けたものがあった。（特許文献１参照）
【先行技術文献】
【特許文献】
【０００３】
【特許文献１】特開平５―５８００９号公報
【発明の概要】
【発明が解決しようとする課題】
【０００４】
しかしながら、上記従来のバックルの係止手段は、構造が複雑で、掛け止め操作が困難であるばかりでなく、滑り止め効果が十分でなかった。
【課題を解決するための手段】
【０００５】
本発明は、上記従来のバックルの問題点を解決するためになされたもので、その目的とするところは、構造および掛け止め操作が簡単で、確実に滑り戻しを阻止できるバックルを提供することにある。
【０００６】
本発明のバックルは、上記目的を達成するために、板状のバックル本体と、該バックル本体の一側に形成されて、ベルトの基端部を止着するベルト基端取付部と、上記バックル本体の中央部に形成されて、ベルト先端部を挿入するベルト先端部差込穴と、該ベルト先端部差込穴に連通し、これより幅狭に形成されているベルト絞り穴と、該ベルト絞り穴内に入口方向に向けて突設された刺留め部材と、該刺留め部材の基部に形成されて、央軌ベルト絞り穴で絞り込まれて折返されたベルトを支持するベルト折返し支持部と、該ベルト折返し支持部により折り返されたベルトの先端部を押さえ込むベルト押さえ片と、から構成されることを特徴とする。また、上記ベルト先端部差込穴に形成されて、上記ベルト絞り穴にベルトを絞り込む絞込み用傾斜を設けたことを特徴とする。さらに、上記ベルト先端部差込穴と上記ベルト絞り穴の狭くなった連通部に戻り防止用突起を突設したことも特徴とする。又さらに、上記ベルト基端取付部の付近のバックル本体にベルト先端部保持片をも行けたことを特徴とする。
【発明の効果】
【０００７】
本発明のバックルは、構造および掛け止め操作が簡単で、確実に滑り戻しを阻止できる。
【図面の簡単な説明】
【０００８】
【図１】本発明のバックルの一実施例を示す正面図（Ａ）、イ−イ断面図（Ｂ）およびロ−ロ端面図（Ｃ）である。
【図２】図１のバックルにベルトを取り付けた状態の説明図である。ただし、ベルトの先端部は再折返ししていない。
【図３】図１のバックルにベルトを取り付けた状態の断面図である。
【発明を実施するための形態】
【０００９】
図１において、１はバックル本体、２はベルト基端取付部、３はベルト先端部差込穴、３ａは絞込み用傾斜、４はベルト絞り穴、４ａは戻り防止用突起、５は刺留め部材、６はベルト折返し支持部、７はベルト押さえ片、８はベルト先端部保持片である。
【００１０】
上記バックル本体１は、金属あるいは硬質プラスチック製などの板状体であって、上記各部材を、例えば、抜き打ちプレス加工や成形加工により形成する。なお、本実施例のバックル本体１は、平板状となっているが、全体的に内側（被巻付け物側）に湾曲させてもよい。
【００１１】
上記ベルト基端取付部２は、上記バックル本体１の一側に形成されて、図２に示すように、ベルトＢの基端部を、これに巻き付けて止着するようになっている。なお、本実施例のバックルに取り付けるベルトＢは、繊維により織成あるいは編成された帯状の織編物である。
【００１２】
上記ベルト先端部差込穴３は、上記バックル本体１の中央部に形成されていて、例えば、パイプやその束などのような被巻付け物（図示せず）に巻き付けて、再びベルトに戻って来るベルト先端部を最初に挿入する穴であり、通常は、図３に示すように、被巻付け物の側から外側に向けて差し込む。該ベルト先端部差込穴３は、ベルト幅より僅かに長い幅寸法を有するのが好ましいが、これに限定するものではない。該ベルト先端部差込穴３の上記ベルト基端取付部２とは反対側に、２つの絞込み用傾斜３ａが全体として「ハ」の字状に狭くなるように形成されている。
【００１３】
上記ベルト絞り穴４は、上記「ハ」の字状に形成された２つの絞込み用傾斜３ａの中央部に連通するように配置されていると共に、該絞込み用傾斜３ａより幅狭に形成されている。したがって、上記ベルト先端部差込穴３に差し込んだベルトＢの先端部を、上記ベルト絞り穴４の方に引っ張ると、ベルトＢの先端部は２つの上記絞込み用傾斜３ａにより絞り込まれて、上記ベルト絞り穴４に収縮した状態で移動する。上記ベルト先端部差込穴３と上記ベルト絞り穴４の狭くなった連通部に、戻り防止用突起４ａを突設して、上記ベルト絞り穴４に入ったベルトＢが、上記ベルト先端部差込穴３に逆戻りするのを阻止する。
【００１４】
上記刺留め部材５は、先が尖った針状に形成されていて、上記ベルト絞り穴４の奥まった側（上記ベルト折返し支持部６側）を基部とし、これから、該ベルト絞り穴４の入口方向（上記ベルト先端部差込穴３方向）に向けて突き出るように配置されている。したがって、上記ベルト絞り穴４内に絞り込まれたベルトＢは、上記ベルト折返し支持部６の側に折り返されると同時に、上記刺留め部材５により串刺しに留められ、滑って戻る恐れはない。なお、ベルトＢは、刺留め部材５により串刺しされ易いような構成、すなわち、織編物が好適である。
【００１５】
上記ベルト折返し支持部６は、上記刺留め部材５の基部に形成されている。該ベルト折返し支持部６により折り返されたベルトＢの先端部は、図３に示すように、上記ベルト押さえ片７に巻き付くように再び折り返されて、最終的に上記ベルト先端部保持片８に差し込まれ、保持処理される。なお、上記ベルトＢの先端部は、図２に示すように、上記ベルト押さえ片７により押さえるだけで、上記ベルト先端部保持片８に折り返さないことも、本発明の選択肢である。また、上記ベルト先端部保持片８を省略して、ベルトＢの先端部を上記ベルト先端部差込穴３に差し込むようにしてもよい。
【００１６】
なお、上記ベルト押さえ片７および上記ベルト先端部保持片８は、バックル本体１の一側から他側に向けて片持ち状に形成されているので、いずれも先端が開放しており、ベルトＢはこの開放先端側から挿入し易いように構成されている。したがって、特に、ベルト先端部保持片８の先端は、多少反り上がるように形成するのが好ましい。また、ベルトＢが接する面に細かな凹凸を付けることにより、ベルトＢが滑り抜けし難いように工夫するのが好ましい。
【符号の説明】
【００１７】
１    バックル本体
２    ベルト基端取付部
３    ベルト先端部差込穴
３ａ  絞込み用傾斜
４    ベルト絞り穴
４ａ  戻り防止用突起
５    刺留め部材
６    ベルト折返し支持部
７    ベルト押さえ片
８    ベルト先端部保持片
【図１】
2013005833.tif 000003
【図２】
2013005833.tif 000004
【図３】
2013005833.tif 000005